(57)【特許請求の範囲】
【請求項１】
電源電圧を複数の分圧抵抗により分圧し、分圧した電圧の各々をコンデンサにより平滑した電圧であって、画素位置に対向配置された電極対に印加された電圧により形成された電界に応じて各画素位置の表示濃度が変化するメモリー性を備えた画像表示媒体に表示された画像を消去するための消去用電圧と、前記消去用電圧と電圧値が異なり且つ前記画像表示媒体に画像を表示させるための駆動用電圧と、を出力する電源装置を備えた画像表示媒体を駆動する駆動装置であって、
前記電源装置と前記電極対との間に設けられ、前記電源装置の前記コンデンサ及び前記画像表示媒体の少なくとも一方に蓄積された蓄積電荷を放電する放電手段と、
前記消去用電圧を前記電極対に印加した後に、前記駆動用電圧を前記電極対に印加するように前記電源装置を制御すると共に、前記消去用電圧の印加と前記駆動用電圧の印加との間に、前記蓄積電荷が放電されるように前記放電手段を制御する制御装置と、
前記画像表示媒体が有する電荷蓄積容量を検出する検出手段と、
前記画像表示媒体に蓄積された蓄積電荷を放電するための放電時間を前記電荷蓄積容量に基づいて算出する算出手段と、
を備えた画像表示媒体の駆動装置。
【請求項２】
電源電圧を複数の分圧抵抗により分圧し、分圧した電圧の各々をコンデンサにより平滑した電圧であって、画素位置に対向配置された電極対に印加された電圧により形成された電界に応じて各画素位置の表示濃度が変化するメモリー性を備えた画像表示媒体に表示された画像を消去するための消去用電圧と、前記消去用電圧と電圧値が異なり且つ前記画像表示媒体に画像を表示させるための駆動用電圧と、を出力する電源装置を備えた画像表示媒体を駆動する駆動装置であって、
前記電源装置と前記電極対との間に設けられ、前記電源装置の前記コンデンサ及び前記画像表示媒体の少なくとも一方に蓄積された蓄積電荷を放電する放電手段と、
前記消去用電圧を前記電極対に印加した後に、前記駆動用電圧を前記電極対に印加するように前記電源装置を制御すると共に、前記消去用電圧の印加と前記駆動用電圧の印加との間に、前記蓄積電荷が放電されるように前記放電手段を制御する制御装置と、
を備え、
前記画像表示媒体に蓄積された蓄積電荷を放電するための放電時間が、前記画像表示媒体のサイズに応じて予め定められた
画像表示媒体の駆動装置。
【請求項３】
前記放電手段は、前記電源装置及び前記画像表示媒体の少なくとも一方を逆バイアスする逆バイアス手段を含むことを特徴とする請求項１又は請求項２記載の画像表示媒体の駆動装置。
【請求項４】
前記放電手段は、前記蓄積電荷を蓄積する電気二重層コンデンサを含むことを特徴とする請求項１又は請求項２記載の画像表示媒体の駆動装置。
【請求項５】
前記画像表示媒体は、少なくとも一部が透光性を有する表示基板と、前記表示基板と間隙を隔てて対向配置された背面基板と、前記表示基板と前記背面基板との間に封入され、前記電極対間に印加された電圧によって形成される電界に応じて移動可能に封入された色及び帯電特性が異なる複数種類の粒子群と、を含んで構成されたことを特徴とする請求項１乃至請求項４の何れか１項に記載の画像表示媒体の駆動装置。
【発明の詳細な説明】
【技術分野】
【０００１】
本発明は、画像表示媒体の駆動装置及び駆動方法に係り、より詳しくは、メモリー性を有する画像表示媒体の駆動装置及び駆動方法に関する。
【背景技術】
【０００２】
従来、所謂電子ペーパーと言われる繰り返し書き換えが可能なメモリー性のある画像表示媒体としては、着色粒子の回転（Twisting Ball Display）、電気泳動、サーマルリライタブル、メモリ性を有する液晶、エレクトロクロミー等の技術を用いたものが知られている。
【０００３】
これらの中で、粒子（トナー）を用いて表示する画像表示媒体として、帯電特性が異なる黒色粒子と白色粒子とが対向するシート間に封入された画像表示媒体が提案されている（例えば特許文献１参照）。このような画像表示媒体は、シート間に電圧を印加して電界を形成させて粒子を移動させることにより、黒色粒子と白色粒子とのコントラストとして画像を表示させる。
【０００４】
このように粒子を用いた画像表示媒体の電極に印加する電圧と表示濃度との関係は、例えば図８に示すような関係となっている。そして、画像表示媒体に表示された画像を消去するときには、出来るだけ大きな電圧の交番電圧を画像表示媒体全体に印加することが好ましい。これは、画像表示媒体内の全ての粒子の移動を頻繁にして十分摩擦帯電させて全ての同一色の粒子を一方の基板に付着させるようにするため、及び、帯電量が異なる粒子や基板と付着するのを防ぐためである。
【０００５】
また、画像表示媒体の駆動時、すなわち画像表示を行う際には、画像情報に応じて各画素位置に電圧が印加されるが、粒子を移動させる必要のある画素位置には粒子を移動させるための強い電界をその画素位置に形成する必要があるが、粒子を移動させる必要のない画素位置については、粒子を移動させずに保持するための弱い電界をその画素位置に形成することが必要となる。
【０００６】
図９には、ライン状の複数の列電極と行電極とが直交する電極対を用いた所謂単純マトリクス駆動を採用した場合における列電極及び行電極に印加する電圧の例を示した。図９に示すように、一例として列電極にはＶ０（＝０Ｖ）、Ｖ２（＞Ｖ０）、Ｖ３（＞Ｖ２）の３種類の電圧が印加され、行電極には、Ｖ０（＝０Ｖ）、Ｖ１（＞Ｖ０）、Ｖ２（＞Ｖ０）、Ｖ３（＞Ｖ２）の４種類の電圧が印加される。そして、画像の表示に先立って行われる画像を消去する期間では、列電極と行電極との間の電位差（の絶対値）がＶ３となるような交番電圧が全ての列電極と行電極との間に印加され、画像表示媒体の駆動期間のうち粒子を移動させる粒子移動期間では、列電極と行電極との間の電位差（の絶対値）が〜Ｖ２となるような電圧が粒子を移動させるべき画素位置に対応した列電極と行電極との間に各々印加され、粒子を移動させない保持期間では、列電極と行電極との間の電位差（の絶対値）が（Ｖ２−Ｖ１）となるような電圧が粒子を移動させるべきでない画素位置に対応した列電極と行電極との間に各々印加される。
【０００７】
このように、画像の消去時の電圧と駆動時の電圧とが異なる場合において、各々の電圧を単一の電源で供給する構成とした場合、電源に対して電位設定の変更が必要となる。単一の電源で複数種類の電圧を発生させる場合、電源の構成としては、例えば電源電圧を複数の分圧抵抗で分圧し、各々の分圧抵抗に対応して設けられた平滑用コンデンサによって安定した複数種類の電圧を発生させ、これらの電圧から所望の電位の電圧を選択して出力するような構成となる。このような電源としては例えば特許文献２に記載されたものがある。
【特許文献１】特開２００１−３１２２２５号公報
【特許文献２】特開平８−２２０５０８号公報
【発明の開示】
【発明が解決しようとする課題】
【０００８】
しかしながら、このような構成の電源を用いた場合、画像消去用の電圧から駆動用の電圧に切り替えても、平滑用コンデンサに蓄積された電荷によって、瞬時に電圧が切り替わらず、画像の先端がかぶったり消えてしまう等の画質に悪影響が生じる。具体的には、例えば図９に示すように、画像の消去期間から駆動期間に切り替わる際、すなわち、列電極については電圧Ｖ３から電圧Ｖ２に切り替わる際、行電極については電圧Ｖ３から電圧Ｖ１に切り替わる際に、電源に含まれる平滑用コンデンサに蓄積された電荷によって電位が瞬時に切り替わらないため、画質に悪影響を及ぼすこととなる。
【０００９】
また、画像表示媒体は、コンデンサ成分を有しており、画像消去時には画像表示媒体に対して高電圧を印加することから、画像表示媒体自体にも電荷が蓄積される。この画像表示媒体自体に蓄積された電荷によっても画質に悪影響が生じる。これは、電源の能力を超えた電荷蓄積容量を画像表示媒体が持っているためである。
【００１０】
本発明は上記事実を考慮して成されたものであり、複数種類の電圧を発生する単一の電源を用いて画像表示媒体を駆動する場合でも、電源又は画像表示媒体に蓄積された電荷による画質の劣化を防ぐことができる画像表示媒体の駆動装置及び駆動方法を得ることが目的である。
【課題を解決するための手段】
【００１１】
上記目的を達成するために、請求項１記載の画像表示媒体の駆動装置は、電源電圧を複数の分圧抵抗により分圧し、分圧した電圧の各々をコンデンサにより平滑した電圧であって、画素位置に対向配置された電極対に印加された電圧により形成された電界に応じて各画素位置の表示濃度が変化するメモリー性を備えた画像表示媒体に表示された画像を消去するための消去用電圧と、前記消去用電圧と電圧値が異なり且つ前記画像表示媒体に画像を表示させるための駆動用電圧と、を出力する電源装置を備えた画像表示媒体を駆動する駆動装置であって、前記電源装置と前記電極対との間に設けられ、前記電源装置の前記コンデンサ及び前記画像表示媒体の少なくとも一方に蓄積された蓄積電荷を放電する放電手段と、前記消去用電圧を前記電極対に印加した後に、前記駆動用電圧を前記電極対に印加するように前記電源装置を制御すると共に、前記消去用電圧の印加と前記駆動用電圧の印加との間に、前記蓄積電荷が放電されるように前記放電手段を制御する制御装置と、前記画像表示媒体が有する電荷蓄積容量を検出する検出手段と、前記画像表示媒体に蓄積された蓄積電荷を放電するための放電時間を前記電荷蓄積容量に基づいて算出する算出手段と、を備えたことを特徴とする。
【００１２】
この発明に係る画像表示媒体の駆動装置は、電源電圧を複数の分圧抵抗により分圧し、分圧した電圧の各々をコンデンサにより平滑した電圧であって、画素位置に対向配置された電極対に印加された電圧により形成された電界に応じて各画素位置の表示濃度が変化するメモリー性を備えた画像表示媒体に表示された画像を消去するための消去用電圧と、消去用電圧と電圧値が異なり且つ画像表示媒体に画像を表示させるための駆動用電圧と、を出力する電源装置を備えたものである。
【００１３】
メモリー性を有する画像表示媒体としては、例えば請求項６に記載したように、少なくとも一部が透光性を有する表示基板と、前記表示基板と間隙を隔てて対向配置された背面基板と、前記表示基板と前記背面基板との間に封入され、前記電極対間に印加された電圧によって形成される電界に応じて移動可能に封入された色及び帯電特性が異なる複数種類の粒子群と、を含んで構成された構成のものを用いることができる。
【００１４】
駆動装置は、複数種類の電圧を出力する電源装置を含んで構成されている。このような電源装置としては、例えば複数の分圧抵抗及びコンデンサを備え、電源電圧を分圧抵抗により分圧し、これをコンデンサによって平滑して安定出力する構成のものがある。このような構成の場合、電位の切り替えを行っても、コンデンサに蓄積された残留電荷により、電位がスムーズに切り替えられず、画質に悪影響を及ぼす場合がある。また、画像表示媒体自体が電荷を蓄積する容量性を持つ場合があり、この場合も同様に、電位がスムーズに切り替わらず、画質に悪影響を及ぼす場合がある。
【００１５】
そこで、本発明に係る画像表示媒体の駆動装置は、前記電源装置と前記電極対との間に設けられ、前記電源装置の前記コンデンサ及び画像表示媒体の少なくとも一方に蓄積された蓄積電荷を放電する放電手段を備えている。
【００１６】
そして、制御装置は、消去用電圧を電極対に印加した後に、駆動用電圧を電極対に印加するように電源装置を制御すると共に、消去用電圧の印加と駆動用電圧の印加との間に、蓄積電荷が放電されるように放電手段を制御する。
【００１７】
このように、画像を消去した後、表示駆動を行う前に、蓄積された電荷を放電させることにより、消去用電圧から駆動用電圧に切り替えた際の電位変更を正確かつ瞬時に行うことができ、電源装置のコンデンサ及び画像表示媒体自体の残留電荷により画質が劣化するのを防ぐことができる。
【００１８】
また、本発明に係る画像表示媒体の駆動装置は、前記画像表示媒体が有する電荷蓄積容量を検出する検出手段と、前記画像表示媒体に蓄積された蓄積電荷を放電するための放電時間を前記電荷蓄積容量に基づいて算出する算出手段と、を備えている。
【００１９】
検出手段は、例えば電極対に所定電圧を印加したときの電流を検出し、この検出値から電荷蓄積容量を求める構成とすることができる。このように画像表示媒体の電荷蓄積容量を自動的に検出して放電時間を算出することにより、予め画像表示媒体の電荷蓄積容量を求めておく必要がない。
【００２０】
また、画像表示媒体の電荷蓄積容量は、おおよそ画像表示媒体のサイズに依存することから、請求項２に記載したように、前記画像表示媒体に蓄積された蓄積電荷を放電するための放電時間が、前記画像表示媒体のサイズに応じて予め定められた構成としてもよい。
【００２１】
また、請求項３に記載したように、前記放電手段は、前記電源装置及び前記画像表示媒体の少なくとも一方を逆バイアスする逆バイアス手段を含む構成としてもよい。これにより、放電時間を短縮することができる。
【００２２】
また、請求項４に記載したように、前記放電手段は、前記蓄積電荷を蓄積する電気二重層コンデンサを含む構成としてもよい。このように急速充放電が可能な電気二重層コンデンサを用いることにより、放電時間を短縮することができる。また、充電した電荷を消去用電圧又は駆動用電圧として利用したり、消去用電圧又は駆動用電圧を補ったりすることが可能となる。
【発明の効果】
【００２５】
以上説明したように、本発明によれば、複数種類の電圧を発生する単一の電源を用いて画像表示媒体を駆動する場合でも、電源又は画像表示媒体に蓄積された電荷による画質の劣化を防ぐことができる、という効果を有する。
【発明を実施するための最良の形態】
【００２６】
以下、図面を参照して本発明の実施形態の一例を詳細に説明する。図１には本実施形態に係る画像表示装置１０が示されている。
【００２７】
画像表示装置１０は、画像表示媒体１２、電源装置２６、制御装置２８、列電極駆動回路３０、行電極駆動回路３２、放電回路３６、列側放電回路４０、及び行側放電回路４２を含んで構成されている。
【００２８】
図２に示すように、画像表示媒体１２は、透光性を有する表示側基板１４と、当該表示側基板１４と間隙を隔てて対向配置された背面側基板１６とを備えている。表示側基板１４と背面側基板１６との間隙は、図示しない間隙保持部材によって微小かつ一定の間隔に保持されており、この間隙には、互いに異なる帯電特性の黒粒子１８及び白粒子２０が封入されている（例えば黒粒子１８が正、白粒子２０が負に帯電している）。なお、黒粒子１８及び白粒子２０は、例えば絶縁性の粒子から成るが、これに限らず導電性の粒子を用いてもよい。
【００２９】
また、表示側基板１４の背面側基板１６と対向する側の面には、第１の方向（図１及び図２の左右方向）に延びるライン状（帯状）の透明電極２２が、第１の方向と直交する第２の方向（図１の上下方向、図２の紙面に垂直な方向）に沿って複数形成されている。また、背面側基板１６の表示側基板１４と対向する側の面には、第２の方向に延びるライン状の電極２４が、第１の方向に沿って複数形成されている。このように、透明電極２２及び電極２４は画像表示媒体１２を単純マトリクス方式で駆動可能に配置されている。
【００３０】
画像表示媒体１２を単純マトリクス方式で駆動した場合、透明電極２２と電極２４の交差位置が各々画像表示媒体１２の画素として機能し、各交差位置における透明電極２２と電極２４との間に印加される電圧（によって発生される電界）の大きさに応じて、各交差位置における黒粒子１８及び白粒子２０の移動、すなわち各交差位置における表示濃度が制御されることになる。なお、以下では透明電極２２を「行電極２２」、電極２４を「列電極２４」と称する。
【００３１】
電源装置２６は、単一の電源で複数種類の電圧を発生させるものであり、例えば電源電圧を複数の分圧抵抗で分圧し、各々の分圧抵抗に対応して設けられた平滑用コンデンサによって安定した複数種類の電圧を発生させ、これらの電圧から所望の電位の電圧を選択して出力するような構成である。出力電圧は、列電極駆動回路３０及び行電極駆動回路３２に別々に出力される。電位の選択は制御装置２８の指示により行われる。
【００３２】
制御装置２８は、電源装置２６から供給される電力により作動し、電源装置２６に対して出力電圧の選択を指示すると共に、画像情報を列電極駆動回路３０及び行電極駆動回路３２に出力する。これにより、画像情報に応じた電圧が行電極２２及び列電極２４に印加されて粒子が移動し、画像が表示される。また、制御装置２８は、詳細は後述するが、後述する放電回路３６、列側放電回路４０、及び行側放電回路４２を制御して、画像を消去した後で画像表示を行うまでの所定期間に、電源装置２６内に蓄積された電荷及び画像表示媒体１２に蓄積された電荷を放電させる。
【００３３】
列電極駆動回路３０は、図示は省略したが、画像表示媒体１２に設けられている列電極２４の数と同数のスイッチング素子を備えており、このスイッチング素子をオンオフさせることにより、列電極２４に対する電源装置２６からの出力電圧の印加をオンオフする。なお、個々のスイッチング素子は制御装置２８から供給されたライン画像の画像情報に応じた制御信号によりオンオフされる。
【００３４】
図３に示すように、列電極駆動回路３０は画像表示媒体１２の背面側基板１６に取付けられており、列電極駆動回路３０の個々のスイッチング素子は、背面側基板１６に形成された個々の列電極２４と列側放電回路４０を介して接続されている。従って、画像表示媒体１２の個々の列電極２４には、接続されているスイッチング素子のオンオフの状態に応じて電圧の印加がオンオフされる。
【００３５】
また、行電極駆動回路３２は、図示は省略したが、画像表示媒体１２に設けられている行電極２２の数と同数のスイッチングを備えており、このスイッチング素子をオンオフさせることにより、行電極２２に対する電源装置２６からの出力電圧の印加をオンオフする。なお、個々のスイッチング素子は制御装置２８から供給された制御信号により１行目の行電極に対応したスイッチング素子から最終行の行電極に対応したスイッチング素子まで順次オンされる。
【００３６】
図３に示すように、行電極駆動回路３２は画像表示媒体１２の表示側基板１４に取付けられており、行電極駆動回路３２の個々のスイッチング素子は、表示側基板１４に形成された個々の行電極２２と行側放電回路４２を介して接続されている。従って、画像表示媒体１２の個々の行電極２２には、接続されているスイッチング素子のオンオフの状態に応じて電圧の印加がオンオフされる。
【００３７】
放電回路３６は、図１では図示は省略したが、列電極側の放電回路３６Ａ及び行電極側の放電回路３６Ｂとから構成されている。
【００３８】
図４（Ａ）に示すように、放電回路３６Ａは、スイッチ５０、５２を含んで構成されいる。スイッチ５０の一端は電源装置２６に接続され、他端はスイッチ５２の一端及び列電極駆動回路３０に接続される。スイッチ５２の他端は、接地されている。列側放電回路４０は、スイッチ５４、５６を含んで構成されている。スイッチ５４、５６は、列電極２４と同数設けられる。スイッチ５４の一端は、列電極駆動回路３０及びスイッチ５６の一端に接続され、他端は画像表示媒体１２の列電極２４に接続される。スイッチ５６の他端は接地されている。スイッチ５０〜５６は、制御装置２８によってオンオフが制御される。なお、放電回路３６Ｂ、行側放電回路４２も列側のものと同様の構成であるため、行側の放電回路の説明については省略する。
【００３９】
次に、本実施形態の作用について説明する。
【００４０】
図８に示すように、画像表示媒体１２は、列電極と行電極との間に印加する印加電圧（の絶対値）が保持電圧範囲（黒粒子１８及び白粒子２０の移動が生じない電圧範囲）内であれば濃度は変化せず、印加電圧（の絶対値）が保持電圧範囲を越える大きさになると、印加電圧の増大に対して大きな傾きで濃度が変化し、更に印加電圧（の絶対値）が閾値（図６に消去電圧と表記して示す電圧）を越えると、印加電圧の増大に対する濃度の変化の傾きが小さくなる特性を有している。
【００４１】
本実施形態では、図５に示すように、列電極２４には電圧Ｖ０、Ｖ２、Ｖ３の３種類の電圧が印加され、行電極２２には、電圧Ｖ０、Ｖ１、Ｖ２、Ｖ３の電圧が印加される。
【００４２】
図５に示すように、画像の消去期間では、全べての行電極２２と全べての列電極２４との間に、電位差がＶ３となるような交番電圧が予め定めた所定期間印加される。すなわち、列電極２４には電圧Ｖ３と電圧Ｖ０（＝０Ｖ）が交互に印加され、行電極２２には、列電極２４に印加される電圧に同期して、電圧Ｖ０（＝０Ｖ）と電圧Ｖ３が交互に印加される。
【００４３】
これにより、黒粒子１８及び白粒子２０は基板間を移動し、粒子同士の衝突により摩擦帯電される。なお、消去期間の最後の印加電圧のパルス幅を長めに設定する。図５に示す例では、消去期間の最後に列電極２４に印加する電圧Ｖ３のパルス幅を長めに設定している。これにより、正に帯電された全ての黒粒子１８が背面側基板１６側に移動し、負に帯電された全ての白粒子２０が表示側基板１４側に移動する。すなわち、消去期間の最後に印加する電圧のパルス幅は、同じ色の粒子の全てが一方の基板側に移動する程度の期間に設定される。
【００４４】
消去期間の後は、放電期間が設けられている。詳細は後述するが、この放電期間に電源装置２６に蓄積された電荷及び画像表示媒体１２に蓄積された電荷が放電される。
【００４５】
そして、放電期間が終了した後に、画像を表示させる駆動期間となる。駆動期間のうち、粒子が移動しない保持期間では、行電極２２と列電極２４との間の電位差が｜Ｖ２−Ｖ１｜となるような電圧が行電極２２及び列電極２４に印加される。すなわち、｜Ｖ２−Ｖ１｜は、図８に示す保持電圧範囲の電圧である。また、粒子が移動する粒子移動期間では、粒子を移動させるべき画素位置に対応する行電極２２と列電極２４との間の電位差が、｜Ｖ２｜となるような電圧が、粒子を移動させるべき画素位置に対応する行電極２２及び列電極２４に印加される。すなわち、｜Ｖ２｜は、図８に示す駆動電圧範囲の電圧である。
【００４６】
次に、画像消去期間終了後の放電期間の動作について説明する。
【００４７】
上記の画像消去期間及び画像駆動期間では、図４（Ａ）に示すように、制御装置２８の制御により、放電回路３６Ａのスイッチ５０はオン、スイッチ５２はオフとなり、列側放電回路４０のスイッチ５４全てはオン、スイッチ５６全てがオフとなる。これにより、電源装置２６から出力された電圧が、列電極２４に印加される。
【００４８】
これに対し、放電期間では、図４（Ｂ）に示すように、制御装置２８の制御により、放電回路３６Ａのスイッチ５２がオン、列側放電回路４０の全てのスイッチ５６がオンされる。これにより、電源装置２６内のコンデンサに蓄積された電荷が放電されると共に、画像表示媒体１２に蓄積された電荷が放電される。
【００４９】
この結果、図５に示すように、画像の消去期間から駆動期間に移行する際に、列電極２４に印加していた電圧をＶ３からＶ２に、行電極２２に印加していた電圧をＶ３からＶ１に切り替えた場合に、電圧が瞬時に切り替わるため、粒子を安定的に移動させることができ、コントラスト及び画質が劣化するのを防ぐことができると共に、応答速度、すなわち画像が表示されるまでの時間を短縮することができる。
【００５０】
なお、電源装置２６に蓄積された電荷の放電時間ｔ１は、電源装置２６のコンデンサの容量に応じて予め定めることができる。また、画像表示媒体１２に蓄積された電荷の放電時間ｔ２は、例えば画像の消去時に列電極と行電極との間に印加されている電圧をＶａ、粒子を移動させるのに必要な電圧をＶｂ、画像表示媒体１２から列側放電回路４０までの抵抗をＲ、画像表示媒体１２の電荷蓄積容量をＣとした場合、次式で表すことができる。
【００５１】
ｔ２＝Ｃ・Ｒ・ｌｎ（Ｖｂ／Ｖａ）      …（１）
ここで、ｌｎ（ｘ）は、ｘの自然対数を表す。従って、抵抗Ｒ、画像表示媒体１２の電荷蓄積容量Ｃを予め求めておき、放電時間ｔ２を上記（１）式によって算出してもよい。電荷蓄積容量Ｃは、画像表示媒体１２の大きさ（面積）や粒子の帯電量に依存し、これら応じて定められる。また、画像表示媒体１２の電荷蓄積容量Ｃが不明な場合は、電極に流れる電流値を測定する電流測定手段を設け、電極間に所定電圧を印加して、流れた電流ｉ（ｔ）を測定し、この測定結果から電荷蓄積容量Ｃを求め、上記（１）式により放電時間ｔ２を算出してもよい。
【００５２】
すなわち、電流ｉ（ｔ）から電荷量Ｑを下記（２）式により求め、下記（３）式により電荷蓄積容量Ｃを求めて、上記（１）式により放電時間ｔ２を求める。
【００５３】
【数１】
0004839577.tif 000002
【００５４】
【数２】
0004839577.tif 000003
【００５５】
上記では、放電回路３６Ａ及び列側放電回路４０は、２つのスイッチを含んで構成されたものとして説明したが、図６に示すように、放電回路３６Ａについては、スイッチ５０とスイッチ５２との間に逆バイアス電源６０を設け、列側放電回路４０については、スイッチ５４とスイッチ５６との間に逆バイアス電源６２を設けた構成としてもよい。なお、逆バイアス電源は、放電回路３６Ａ及び列側放電回路４０の何れかだけに設けても良い。これにより、電源装置２６及び画像表示媒体１２に蓄積された電荷の放電時間を短縮することができ、応答速度を速くすることができる。
【００５６】
また、図７に示したように、放電回路３６Ａのスイッチ５２の他端をコンデンサ７０を介して接地するようにすると共に、列側放電回路４０のスイッチ５６の他端をコンデンサ７２を介して接地するようにしてもよい。コンデンサ７０、７２は、例えば急速に充放電が可能な電気二重層コンデンサを用いることが好ましい。これにより、放電時間を短縮することができる。
【００５７】
図７に示した構成の場合には、放電期間にスイッチ５２、５６をオンして電源装置２６及び画像表示媒体１２に蓄積された電荷をコンデンサ７０、７２に蓄積し、画像の消去期間や駆動期間にもスイッチ７０、７２をオンすることにより、コンデンサ７０、７２に充電された電荷を画像の消去や表示駆動に用いるようにしてもよい。コンデンサ７０、７２に充電された電荷だけでは画像の消去や駆動を行えない場合には、電源装置２６からの出力電圧と併せて画像の消去や表示駆動を行うようにしてもよい。
【００５８】
このように、放電された電荷を充電して、画像の消去や表示駆動に利用することにより、電源装置２６の能力を抑えることができる。
【００５９】
なお、本実施形態では、放電回路を、電源装置側及び画像表示媒体側の両方に設けたが、何れか一方だけ設けてもよい。
【００６０】
また、上記では本発明に係る表示媒体として、単純マトリクス方式での駆動を前提とした構造の電極が設けられた画像表示媒体１２を例に説明したが、本発明はこれに限定されるものではなく、アクティブマトリクス方式での駆動を前提とした構造を有する画像表示媒体にも適用可能であることは言うまでもない。また、本発明に係る画像表示媒体は、例えばメモリー性を有する液晶ディスプレイ等、公知の他の画像表示媒体であってもよい。
【図面の簡単な説明】
【００６１】
【図１】本実施形態に係る画像表示装置の概略構成図である。
【図２】図１のＡ−Ａ線に沿った画像表示媒体の断面図である。
【図３】画像表示媒体の各電極と駆動部の接続状態を示す平面図である。
【図４】（Ａ）は、画像消去時及び表示駆動時の放電回路のスイッチの状態を示す図、（Ｂ）は、放電時の放電回路のスイッチの状態を示す図である。
【図５】各電極に印加される電圧を示す図である。
【図６】放電回路の他の例を示す図である。
【図７】放電回路の他の例を示す図である。
【図８】画像表示媒体における電極間の印加電圧と濃度との関係を示す線図である。
【図９】従来における各電極に印加される電圧を示す図である。
【符号の説明】
【００６２】
１０      画像表示装置
１２      画像表示媒体
１４      表示側基板
１６      背面側基板
１８      黒粒子
２０      白粒子
２２      行電極
２４      列電極
２６      電源装置
２８      制御装置
３０      列電極駆動回路
３２      行電極駆動回路
３６      放電回路
４０      列側放電回路
４２      行側放電回路
５０、５２、５４、５６      スイッチ
６０、６２      逆バイアス電源
７０、７２      コンデンサ
【図１】
0004839577.tif 000004
【図２】
0004839577.tif 000005
【図３】
0004839577.tif 000006
【図４】
0004839577.tif 000007
【図５】
0004839577.tif 000008
【図６】
0004839577.tif 000009
【図７】
0004839577.tif 000010
【図８】
0004839577.tif 000011
【図９】
0004839577.tif 000012